(57)【特許請求の範囲】
【請求項１】
地盤側に固定され上面は一方の滑り面となされた支承板と、構造物を支持し下面は上記一方の滑り面上を摺動する他方の滑り面となされた支持柱と、上記支承板を地盤と固定するとともに上端側が該支承板の上面から突出してなる複数の締結部材とを少なくとも備えてなる免震装置に装着される免震装置の滑り面養生シートであって、
上記一方の滑り面となされた支承板の上面の半分以上で全部以下を覆う弾性変形可能な一方の養生シート半体と、この一方の養生シート半体とほぼ同一形状に成形され弾性変形可能な他方の養生シート半体、とを備え、
上記一方の養生シート半体及び他方の養生シート半体は、上記一方の滑り面上で上下重ね合わされ、該一方及び他方の養生シート半体の縁部には、それぞれ上記支持柱の周面に接触する切欠き部が形成されてなるとともに、上記締結部材の上端が挿通される挿通穴が形成されてなることを特徴とする免震装置の滑り面養生シート。
【請求項２】
地盤側に固定され上面は一方の滑り面となされた支承板と、構造物を支持し下面は上記一方の滑り面上を摺動する他方の滑り面となされた支持柱と、上記支承板を地盤と固定するとともに上端側が該支承板の上面から突出してなる複数の締結部材とを少なくとも備えてなる免震装置に装着される免震装置の滑り面養生シートであって、
上記一方の滑り面となされた支承板の上面のほぼ半分を覆い弾性変形可能な一方の養生シート半体と、上記支承板の上面であって上記一方の養生シート半体で覆われた部位以外の部位を覆い弾性変形可能な他方の養生シート半体、とを備え、
上記一方の養生シート半体と他方の養生シート半体の一側面は、上記一方の滑り面上で互いに対向し接触してなり、該一方及び他方の養生シート半体の縁部には、それぞれ上記支持柱の周面に接触する切欠き部が形成されてなるとともに、上記締結部材の上端が挿通される挿通穴が形成されてなることを特徴とする免震装置の滑り面養生シート。
【発明の詳細な説明】
【０００１】
【発明が属する技術分野】
本発明は、免震装置の養生シートに関し、特に地盤側に固定された支承板の上面と構造物を支持する支持柱の下面とが互いに褶動するタイプの免震装置に挿着される免震装置の滑り面養生シートに関するものである。
【０００２】
【従来の技術】
周知の通り、従来から地震による振動から構造物を保護するために種々の免震装置が開発されている。これらの免震装置の中には、基本的構造として、地盤又は基礎と建物とを互いに滑らせる（褶動させる）ことにより、地震の振動を構造物に伝達させない，所謂滑り免震と称されるものが知られている。
【０００３】
ところで、こうした滑り免震と称されるタイプの免震装置においては、滑り面（褶動面）に塵埃や異物が付着すると、該免震装置の免震性能が低下することとなる。そこで、従来より図６及び図７に示すカバー５０や、図８に示すカバー６０が使用され、或いは、特開平１０−３０６６１７号公報に開示されるカバーが提案されている。上記図６及び図７に示すカバー５０は、免震装置５２に挿着されてなるものであり、この免震装置５２は、地盤側に固定され上面は一方の滑り面５３ａとなされた支承板５３と、鉄骨土台５４の下面に固定された固定部材５５を介して固定され構造物を支持する支持柱５６とから構成されている。そして、上記カバー５０は、アクリル樹脂等の合成樹脂により一体成形されてなる一方及び他方のカバー半体５７，５８とから構成され、これら一方及び他方のカバー半体５７，５８には、上記固定部材５５に形成されたリブ５５ａが挿通される溝５７ａ，５７ｂ，５８ａ，５８ｂが形成されている。なお、この一方のカバー半体５７と他方のカバー半体５８は、図示しない連結具により互いに連結されるものであり、該連結具により連結されることにより、図７に示すように、上記一方の滑り面５３ａをカバーするとともに、下端は上記支承板５３の上面よりも下方に延在されている。
【０００４】
また、上記図８に示すカバー６０は、単に上記免震装置５２全体を覆いビニール等の薄手のシート体から構成されてなるものである。なお、こうしたシート体からなるカバー６０は、図８に示すように、１枚で覆われている場合ばかりではなく、幾重にも巻かれている場合もある。また、上記特開平１０−３０６６１７号公報に開示されるカバーは、４分割されたほぼ扇状のカバー体から構成されてなるものであり、下面が他方の滑り面となされた上記支持柱の周面にネジを介して着脱可能に挿着されてなるものである。
【０００５】
【発明が解決しようとする課題】
しかしながら、上述した従来のカバーでは、以下に説明する課題を有する。先ず、上記図６及び図７に示すカバー５０では、下端側が支承板５３の上面よりも下方に位置することから、地震が発生することにより破損し、再度取り付ける作業が必要となるとともに、取り付ける場合の作業性が極めて悪い。この点に関し、上記特開平１０−３０６６１７号公報に開示されるカバーでは、地震の発生により破損される危険性は少ない一方、分割されたカバー体のそれぞれを支持柱に取り付けるための作業性は極めて悪くまたコスト的にも高価となってしまう。また、図８に示すカバー６０では、見栄えが悪いばかりではなく、上方から石や釘等が落下することにより容易に穴が開いてしまう危険性があるとともに、全体に皺が発生し、木屑が溜まってしまう。
【０００６】
そこで、本発明は、上述した従来のカバーが有する課題を解決するために提案されたものであって、地震の発生により破損することがないとともに、極めて低コストで製造することができ、装着作業も極めて簡単な免震装置の滑り面養生シートを提供することを目的とするものである。
【０００７】
【課題を解決するための手段】
本発明は、上記課題を解決するために提案されたものであって、第１の発明（請求項１記載の発明）は、地盤側に固定され上面は一方の滑り面となされた支承板と、構造物を支持し下面は上記一方の滑り面上を摺動する他方の滑り面となされた支持柱と、上記支承板を地盤と固定するとともに上端側が該支承板の上面から突出してなる複数の締結部材とを少なくとも備えてなる免震装置に装着される免震装置の滑り面養生シートであって、上記一方の滑り面となされた支承板の上面の半分以上で全部以下を覆う弾性変形可能な一方の養生シート半体と、この一方の養生シート半体とほぼ同一形状に成形され弾性変形可能な他方の養生シート半体、とを備え、上記一方の養生シート半体及び他方の養生シート半体は、上記一方の滑り面上で上下重ね合わされ、該一方及び他方の養生シート半体の縁部には、それぞれ上記支持柱の周面に接触する切欠き部が形成されてなるとともに、上記締結部材の上端が挿通される挿通穴が形成されてなることを特徴とするものである。
【０００８】
なお、上記第１の発明を構成する免震装置は、地盤側に固定され上面は一方の滑り面となされた支承板と、構造物を支持し下面は上記一方の滑り面上を摺動する他方の滑り面となされた支持柱と、上記支承板を地盤と固定するとともに上端側が該支承板の上面から突出してなる複数の締結部材とを少なくとも備えてなる免震装置であれば、その大きさや形状は特に限定されるものではない。また、上記養生シートは、弾性変形可能な材料により成形されたものである必要があり、例えば、スポンジ状のポリウレタン多孔質体，ウレタンフォーム，セルロースフォーム，ナイロンフォーム等の弾性発泡体を使用することが望ましい。
【０００９】
また、第２の発明（請求項２記載の発明）は、地盤側に固定され上面は一方の滑り面となされた支承板と、構造物を支持し下面は上記一方の滑り面上を摺動する他方の滑り面となされた支持柱と、上記支承板を地盤と固定するとともに上端側が該支承板の上面から突出してなる複数の締結部材とを少なくとも備えてなる免震装置に装着される免震装置の滑り面養生シートであって、上記一方の滑り面となされた支承板の上面のほぼ半分を覆い弾性変形可能な一方の養生シート半体と、上記支承板の上面であって上記一方の養生シート半体で覆われた部位以外の部位を覆い弾性変形可能な他方の養生シート半体、とを備え、上記一方の養生シート半体と他方の養生シート半体の一側面は、上記一方の滑り面上で互いに対向し接触してなり、該一方及び他方の養生シート半体の縁部には、それぞれ上記支持柱の周面に接触する切欠き部が形成されてなるとともに、上記締結部材の上端が挿通される挿通穴が形成されてなることを特徴とするものである。
【００１２】
【発明の実施の形態】
以下、本発明の各実施の形態に係る免震装置の滑り面養生シートについて、図面を参照しながら詳細に説明する。最初に、第１の実施の形態に係る免震装置の滑り面養生シート１について、図１乃至図３を参照しながら詳細に説明する。
【００１３】
この免震装置の滑り面養生シート（以下、養生シートという。）１は、所謂滑り免震と称される免震装置２に装着されるものであって、この免震装置２について、先ず説明すると、この免震装置２は、図１及び図２に示すように、地盤側に固定された正方形状に成形され上面は一方の滑り面（褶動面）３ａとなされた支承板３と、構造物を支持し図示しない下面は上記一方の滑り面３ａ上を褶動する他方の滑り面となされた支持柱４と、から構成されている。上記支承板３は、図２に示すアンカーナット９に螺着される４つのボルト５により地盤側に固定されている。また、上記支持柱４は円柱状に成形されたものであり、上端には円盤状のフランジ部４ａが形成されている。そして、この支持柱４は、フランジ部４ａとボルト６により固定される固定部材７を間に介して構造物を構成する鉄骨土台８に固定されている。
【００１４】
そして、上記養生シート１は、一方の滑り面３ａとなされた上記支承板３の上面に載置されるものであり、一方の養生シート半体１０と、他方の養生シート半体１１とから構成されている。これら一方及び他方の養生シート半体１０，１１は、５ｍｍから３０ｍｍ位の厚みとなされ、何れもスポンジ状のポリウレタン多孔質体により一体成形されてなるものであり、何れも同一形状とされてなるものである。そして、これら一方及び他方の養生シート半体１０，１１の長さは、上記支承板３の上面（一方の滑り面３ａ）の一辺の長さと同じ長さとされ、幅は該支承板３の一辺と直交する他の一辺の長さの半分の長さよりも長いものとされ、一方の養生シート半体１０の一側側の上方に他方の養生シート半体１１の他端側が覆い被さっている。すなわち、これら一方及び他方の養生シート１０，１１は、上記支承板３上において一部が重ね合わされた状態で装着されている。
【００１５】
また、上記一方の養生シート１０の一側中央には、円弧状の切欠き部１０ａが形成され、また他方の養生シート１１の他端中央には、円弧状の切欠き部１１ａが形成されている。なお、これらの切欠き部１０ａ，１１ａは、前述したように、一方の養生シート１０の一側側と他方の養生シート１１の他端側とを重ね合わせた場合に、該切欠き部１０ａ，１１ａにより円形状の開口ができるよう、やや長い切欠き部とされている。また、上記一方の養生シート１０の他端側の角部には、上記支承板３を固定するボルト５の頭部が挿通される円形状の穴１０ｂ，１０ｃが形成され、他方の養生シート半体１１の一側側の角部にも、上記ボルト５の頭部が挿通される円形状の穴１１ｂ，１１ｃが形成されている。
【００１６】
したがって、上述した実施の形態に係る養生シート１によれば、該養生シート１を構成する一方及び他方の養生シート半体１０，１１により、支承板３の上面である一方の滑り面３ａが覆われることから、塵埃や異物が付着することが防止され、上方から石や釘等が落下した場合でも、穴が開いてしまうことはない。そして、この養生シート１によれば、単に支承板３上に一方の養生シート１０と他方の養生シート１１とを一部重ね合わせて載置することのみで装着作業は終了することから、極めて作業性が良い。特に、この養生シート１では、地震発生した場合には、それぞれの養生シート半体１０，１１は、各ボルト５により位置決めがされているので、図３に示すように、例えば地盤側が右方向に移動して支持柱４が該支承板３上を右方向に移動した場合でも、撓むことにより該他方の養生シート半体１１がこの支承板３上から脱落することがない。
【００１７】
なお、本発明に係る免震装置の滑り面養生シートは、上述したように、必ずしも支承板３上で一部重ね合わされている必要はなく、例えば、第２の実施の形態に係る養生シート２０を示す図４のように、一方の養生シート半体２１の一側面と他方の養生シート半体２２の他側面とが、支承板３上で接触した状態で装着されるものであっても良い。すなわち、この養生シート２０を構成する上記一方及び他方の養生シート半体２１，２２は、何れも同一形状に成形されたものであって、該一方の養生シート半体２１の一側中央には半円状の切欠き部２１ａが形成され、他方の養生シート半体２２の他側中央にも半円状の切欠き部２２ａが形成されている。これらの切欠き部２１ａ，２２ａは、該一方の養生シート半体２１と他方の養生シート半体２２とが支承板３上に装着されることにより円形状の切欠き（符号は省略する。）となるものであり、この円形状の切欠き部は、上記支持柱４の外周形状と同一のものである。なお、この図４に示す一方の養生シート半体２１の他側側角部にも上記ボルト５の頭部が挿通される円形状の穴２１ｂ，２１ｃが形成され、他方の養生シート半体２２の一側側角部にもボルト５の頭部が挿通されている。
【００１８】
上述した第２の実施の形態に係る養生シート２０による場合であっても、前記第１の実施の形態に係る養生シート１と同じ作用効果を実現することができるとともに、この養生シート２０では、一方の養生シート半体２１と他方の養生シート半体２２とが、上記第１の実施の形態に係る養生シート１のように、支承板３上で重ね合わされて装着されるものではないことから、隙間が形成されその隙間から塵埃等が侵入することを防止することかできる。
【００１９】
また、上記第１及び第２の実施の形態に係る養生シート１，２０では、一方及び他方の養生シート半体１０，１１，２１，２２の長さが、正方形状に成形された支承板３の一辺の長さと同じ長さに成形されたものを図示して説明したが、本発明の第３の実施の形態に係る免震装置の滑り面養生シート３０を示す図５のように、一方及び他方の養生シート半体３１，３２の一側の長さが、それぞれ支承板３の一辺の長さよりも大幅に長いものであっても良い。すなわち、この養生シート３０を構成する一方の養生シート半体３１は、長さが支承板３の一辺の長さよりも長く、支承板３ばかりではなく該支承板３が固定されている地盤の起立部までも覆い被さる長さに成形され、幅は、支承板３の一辺の長さの約２／３とされている。なお、こうした長さ幅については、上記他方の養生シート半体３２も同じである。そして、上記一方の養生シート半体３１の一側中央には、前記第１の実施の形態で説明した一方の養生シート半体１０に形成されたものと同じ円弧状の切欠き部３１ａが形成され、他方の養生シート半体３２の他側中央にも円弧状の切欠き部３２ａが形成されている。そして、上記一方及び他方の養生シート半体３１，３２は、支承板３上の中央において重ね合わされた状態で該支承板３に載置される。
【００２０】
こうした構成に係る養生シート３０によれば、一方及び他方の養生シート半体３１，３２は、支承板３上に載置されることにより、全体として該支承板３全体ばかりではなく該支承板３が固定されている地盤側の起立部まで覆われることから、支承板３の上面である一方の滑り面３ａ上に塵埃や異物が侵入することを一層防止することができる。
【００２１】
【発明の効果】
上述した本発明の実施の形態の説明からも明らかなように、本発明によれば、一方の滑り面上に塵埃や異物が付着することを有効に防止することができるばかりではなく、装着作業は極めて簡単であるとともに、製造コストも安価なものとすることができる。
【図面の簡単な説明】
【図１】本発明の第１の実施の形態に係る免震装置の滑り面養生シートと免震装置とを示す分解斜視図である。
【図２】本発明の第１の実施の形態に係る免震装置の滑り面養生シートが免震装置に装着された状態を示す断面図である。
【図３】図２に示す免震装置の滑り面養生シートを構成する他方の養生シート半体が変形した後の状態を示す断面図である。
【図４】本発明の第２の実施の形態に係る免震装置の滑り面養生シートと免震装置とを示す分解斜視図である。
【図５】本発明の第３の実施の形態に係る免震装置の滑り面養生シートと免震装置とを示す斜視図である。
【図６】従来のカバーと免震装置とを示す分解斜視図である。
【図７】従来のカバーが免震装置に装着された状態を示す断面図である。
【図８】従来のカバーの他の例を示す断面図である。
【符号の説明】
１    免震装置の滑り面養生シート
２    免震装置
３    支承板
３ａ  一方の滑り面
４    支持柱
５    ボルト
１０  一方の養生シート半体
１０ａ    切欠き部
１０ｂ，１０ｃ    穴
１１    他方の養生シート半体
１１ａ    切欠き部
１１ｂ，１１ｃ    穴
２０    免震装置の滑り面養生シート
２１    一方の養生シート半体
２１ａ    切欠き部
２１ｂ，２１ｃ    穴
２２    他方の養生シート半体
２２ａ    切欠き部
２２ｂ，２２ｃ    穴
３０    免震装置の滑り面養生シート
３１    一方の養生シート半体
３２    他方の養生シート半体
【図１】
0003613381.tif 000002
【図２】
0003613381.tif 000003
【図３】
0003613381.tif 000004
【図４】
0003613381.tif 000005
【図５】
0003613381.tif 000006
【図６】
0003613381.tif 000007
【図７】
0003613381.tif 000008
【図８】
0003613381.tif 000009